(57)【特許請求の範囲】
【請求項１】
電子機器と発生する騒音が大きい高騒音排熱ファンと発生する騒音が前記高騒音排熱ファンの騒音より小さい低騒音排熱ファンとを収容する筐体を備え、
前記筐体はこの筐体の一つの面を覆う正面板を有し、
前記正面板における前記低騒音ファン自体と水平方向で対向する領域に前記筐体外の空気が前記筐体内に吸込まれる正面側吸気口が形成され、前記正面板における前記高騒音ファン自体と水平方向で対向する領域に前記正面板の板部が位置していることを特徴とする電子機器用筐体装置。
【請求項２】
前記正面板の内側面における前記高騒音排熱ファンと水平方向で対向する領域に吸音材が取付けられていることを特徴とする請求項１記載の電子機器用筐体装置。
【請求項３】
前記筐体内に、前記高騒音排熱ファンが位置する領域と前記低騒音排熱ファンが位置する領域とを仕切る仕切板が設けられ、
前記仕切板に、前記正面側吸気口から前記低騒音排熱ファンが位置する領域に吸込まれた空気が前記高騒音排熱ファンが位置する領域に通気される通気口が設けられていることを特徴とする請求項１又は２記載の電子機器用筐体装置。
【請求項４】
前記通気口に、前記低騒音排熱ファンが位置する領域から前記高騒音排熱ファンが位置する領域に向けて空気を送風する送風ファンが設けられていることを特徴とする請求項３記載の電子機器用筐体装置。
【請求項５】
前記筐体の上面板と下面板と側面板との少なくともいずれかに、前記筐体外の空気が前記筐体内に吸込まれる吸気口が設けられていることを特徴とする請求項１ないし４のいずれか一項に記載の電子機器用筐体装置。
【請求項６】
前記吸気口には、前記筐体の背面側に向けて開口するダクトが接続されていることを特徴とする請求項５記載の電子機器用筐体装置。
【発明の詳細な説明】
【技術分野】
【０００１】
本発明の実施形態は、電子機器用筐体装置に関する。
【背景技術】
【０００２】
筐体内に各種の電子機器やその電子機器を冷却する排熱ファンを収容した電子機器用筐体装置が普及しており、例えば、下記特許文献１に記載されたものが知られている。特許文献１に記載された電子機器用筐体装置は、筐体（装置本体）内に複数の電子機器（被冷却部）と複数の排熱ファン（送風ファン）とが収容され、筐体の正面側には複数の吸気口が形成されている。排熱ファンが駆動されることにより筐体外の空気が吸気口から筐体内に吸込まれ、筐体内に吸込まれた空気によって電子機器が冷却される。
【先行技術文献】
【特許文献】
【０００３】
【特許文献１】特開２００６−１９５３５７号公報
【発明の概要】
【発明が解決しようとする課題】
【０００４】
近年、電子機器の高性能化や高密度化等により、電子機器のなかには発熱量が大きいものが現れている。発熱量が大きい電子機器に対しては、排熱ファンの数を増やしたり排熱ファンを大型化したりし、その電子機器に対する冷却性能を高める必要がある。なお、排熱ファンの数を増やしたり大型化したりした場合には、それらの排熱ファンから発生する騒音が大きくなる。
【０００５】
特許文献１に記載されている電子機器用筐体装置では、筐体の正面板に各排熱ファンに対向して位置する吸気口が形成されており、排熱ファンから発生した騒音が吸気口から筐体の正面側に漏れ出している。
【０００６】
このため、特許文献１に記載されている電子機器用筐体装置においては、発熱量の大きい電子機器を冷却するために排熱ファンの数を増やしたり排熱ファンを大型化したりすると、その排熱ファンから発生した大きな騒音が吸気口から筐体の正面側に漏れ出す。そして、吸気口から筐体の正面側に漏れ出す騒音が大きくなると、電子機器用筐体装置の正面側に居る者に対して与える不快感も大きくなる。
【０００７】
電子機器用筐体装置の一例である医用機器用筐体装置が診察室内に設置されている場合には、筐体の正面板に形成された吸気口から漏れ出す排熱ファンの騒音が大きくなると、診察室内に居る患者や医師等に対して与える不快感も大きくなる。
【０００８】
本発明の目的は、電子機器用筐体装置の正面側に漏れ出す排熱ファンの騒音を抑え、その電気機器用筐体装置の正面側に居る者に対して与える不快感を抑制することである。
【課題を解決するための手段】
【０００９】
実施形態の電子機器用筐体装置は、電子機器と発生する騒音が大きい高騒音排熱ファンと発生する騒音が前記高騒音排熱ファンの騒音より小さい低騒音排熱ファンとを収容する筐体を備え、前記筐体はこの筐体の一つの面を覆う正面板を有し、前記正面板における前記低騒音ファン自体と水平方向で対向する領域に前記筐体外の空気が前記筐体内に吸込まれる正面側吸気口が形成され、前記正面板における前記高騒音ファン自体と水平方向で対向する領域に前記正面板の板部が位置している。
【図面の簡単な説明】
【００１０】
【図１】本発明の第１の実施の形態の医用機器用筐体装置を示す斜視図である。
【図２】医用機器用筐体装置の縦断側面図である。
【図３】本発明の第２の実施の形態の医用機器用筐体装置を示す縦断側面図である。
【図４】本発明の第３の実施の形態の医用機器用筐体装置を示す縦断側面図である。
【図５】本発明の第４の実施の形態の医用機器用筐体装置を示す側面図である。
【図６】本発明の第５の実施の形態の医用機器用筐体装置を示す側面図である。
【発明を実施するための形態】
【００１１】
（第１の実施の形態）
本発明の第１の実施の形態を、図１及び図２に基づいて説明する。ＣＴ装置やＭＲＩ装置などの医用画像診断機器（図示せず）には、電子機器用筐体装置である医用機器用筐体装置１が接続されている。医用機器用筐体装置１では、医用画像診断機器において撮影された撮影データの画像処理や保存が行われる。
【００１２】
医用機器用筐体装置１は、筐体２と、筐体２内に収容された電子機器３ａ，３ｂ，３ｃ，３ｄと、筐体２内に収容された高騒音排熱ファン４ａ及び低騒音排熱ファン４ｂとを備えている。
【００１３】
電子機器３ａは、例えば、ハブやネットワーク用ユニットなどであり、駆動時の発熱量が電子機器３ｂより少ない。この電子機器３ａを冷却する空気を送風する排熱ファンとして、低騒音排熱ファン４ｂが用いられている。
【００１４】
電子機器３ｂは、例えば、サーバーＰＣなどであり、駆動時の発熱量が電子機器３ａ，３ｃ，３ｄより多い。この電子機器３ｂを冷却する空気を送風する排熱ファンとして、高騒音排熱ファン４ａが用いられている。
【００１５】
電子機器３ｃは、例えば、デスクドライブなどであり、駆動時の発熱量が電子機器３ｂより少ない。この電子機器３ｃを冷却する空気を送風する排熱ファンとして、低騒音排熱ファン４ｂが用いられている。
【００１６】
電子機器３ｄは、例えば、トランスやＤＣ電源やブレーカーを含む電源ユニットなどであり、駆動時の発熱量が電子機器３ｂより少ない。この電子機器３ｄを冷却する空気を送風する排熱ファンとして、低騒音排熱ファン４ｂが用いられている。
【００１７】
高騒音排熱ファン４ａは、発熱量の大きい電子機器３ｂを冷却するためのファンであり、低騒音排熱ファン４ｂと同じ性能（送風性能、騒音性能）のファンを複数個集中配置することにより構成されている。このため、高騒音排熱ファン４ａから発生する騒音は低騒音排熱ファン４ｂから発生する騒音より大きくなっている。なお、高騒音排熱ファンとしては、設置するファンの数を低騒音排熱ファンと同じにし、送風性能が低騒音排熱ファン４ｂより大きなものを用いてもよい。この場合、送風性能の大きなファンは発生する騒音も大きくなるので、この高騒音排熱ファンから発生する騒音は低騒音排熱ファン４ｂから発生する騒音より大きくなる。
【００１８】
低騒音排熱ファン４ｂは、発熱量の小さい電子機器３ａ，３ｃ，３ｄを冷却するための排熱ファンであり、発生する騒音が高騒音排熱ファン４ａより小さい。
【００１９】
筐体２は、正面板２ａと背面板２ｂと一対の側面板２ｃと上面板２ｄと下面板２ｅとを有する直方体形状に形成され、下面板２ｅには移動用のキャスタ５が取付けられている。
【００２０】
正面板２ａは開閉可能に設けられており、筐体２内に電子機器３ａ〜３ｄを出し入れす
る場合には正面板２ａを開放して行う。なお、電子機器３ｄは下面板２ｅの上に載置して筐体２内に収容され、電子機器３ａ〜３ｃは側面板２ｃの内側面に形成されて筐体２内に突出した保持片６により保持されて筐体２内に収容されている。
【００２１】
また、筐体２の正面側である正面板２ａには、正面側吸気口７が形成されている。この正面側吸気口７は、正面板２ａにおける低騒音排熱ファン４ｂと水平方向で対向する領域に形成され、正面板２ａにおける高騒音排熱ファン４ａと水平方向で対向する領域には正面側吸気口７は形成されていない。正面板２ａの内側面における高騒音排熱ファン４ａと水平方向で対向する領域には、吸音材８が貼付けられている。正面側吸気口７からは、高騒音排熱ファン４ａや低騒音排熱ファン４ｂの駆動に伴って筐体２外の空気が筐体２内に吸込まれる。
【００２２】
背面板２ｂには、筐体２内に吸込まれた空気が排気される排気口９が形成されている。排気口９は、高騒音排熱ファン４ａ及び低騒音排熱ファン４ｂと水平方向で対向する領域に形成されている。
【００２３】
医用機器用筐体装置１が診察室内等に設置される場合には、正面板２ａを診察室内等に居る患者や医師の方向を向けた状態で設置される。
【００２４】
このような構成において、医用機器用筐体装置１の駆動時には、電子機器３ａ〜３ｄから発熱され、これらの電子機器３ａ〜３ｄが高騒音排熱ファン４ａ及び低騒音排熱ファン４ｂにより送風される空気によって冷却される。電子機器３ａ〜３ｄを冷却する空気は、正面側吸気口７から筐体２内に吸込まれ、電子機器３ａ〜３ｄの周囲を流れて電子機器３ａ〜３ｄを冷却した後に排気口９から筐体２外に排気される。
【００２５】
また、医用機器用筐体装置１の駆動時には、高騒音排熱ファン４ａと低騒音排熱ファン４ｂとから騒音が発生し、高騒音排熱ファン４ａから発生する騒音は低騒音排熱ファン４ｂから発生する騒音より大きい。これらの騒音は、正面側吸気口７から筐体２の正面側へ漏れ出すとともに、排気口９から筐体２の背面側へ漏れ出す。
【００２６】
正面側吸気口７は、正面板２ａにおける低騒音排熱ファン４ｂと水平方向で対向する領域に形成され、正面板２ａにおける高騒音排熱ファン４ａと水平方向で対向する領域には形成されてない。このため、低騒音排熱ファン４ｂから正面側吸気口７に至るまでの距離に比べ、高騒音排熱ファン４ａから正面側吸気口７に至るまでの距離が長くなり、高騒音排熱ファン４ａで発生した大きな騒音が正面側吸気口７から筐体２の正面側へ漏れ出すことが抑制される。これにより、筐体２の正面側に居る患者や医師に対して与える騒音による不快感を抑制することができる。
【００２７】
さらに、正面板２ａの内側面における高騒音排熱ファン４ａと水平方向で対向する領域には吸音材８が貼付けられているため、高騒音排熱ファン４ａで発生した大きな騒音を吸音材８で吸音することができる。これにより、高騒音排熱ファン４ａから発生した大きな騒音が正面側吸気口７から筐体２の正面側へ漏れ出すことをより一層抑制することができ、筐体２の正面側に居る患者や医師に対して与える騒音による不快感をより一層抑制することができる。
【００２８】
なお、排気口９から漏れ出す騒音は、患者や医師が居る筐体２の正面側と反対方向であり、この排気口９から高騒音排熱ファン４ａで発生した大きな騒音が漏れ出しても、患者や医師に与える不快感は小さく、問題とならない。
（第２の実施の形態）
本発明の第２の実施の形態を、図３に基づいて説明する。なお、第２の実施の形態及び
その他の実施の形態において、先行して説明した実施の形態と同じ構成要素に対しては同じ符号を付け、重複する説明は省略する。
【００２９】
第２の実施の形態の基本的な構成は、第１の実施の形態と同じである。第２の実施の形態と第１の実施の形態との異なる点は、筐体２内に、高騒音排熱ファン４ａが位置する領域と低騒音排熱ファン４ｂが位置する領域とを仕切る仕切板１０が設けられている点である。仕切板１０には、正面側吸気口７から低騒音排熱ファン４ｂが位置する領域に吸込まれた空気が高騒音排熱ファン４ａが位置する領域に通気される通気口１１が形成されている。
【００３０】
なお、仕切板１０は、第２の実施の形態で示したように保持片６の下側に形成してもよく、又は、保持片６に代えて仕切板１０を設け、仕切板１０上に電子機器３ａ，３ｂを載置してもよい。
【００３１】
このような構成において、医用機器用筐体装置１の駆動時には、正面側吸気口７から筐体２内に吸込まれた空気は、仕切板１０により仕切られた低騒音排熱ファン４ｂが位置する領域内に入り込み、その領域内に配置された電子機器３ａ，３ｃ，３ｄを冷却した後にその領域に対向して位置する排気口９から筐体２外に排気される。また、正面側吸気口７から筐体２内に吸込まれて低騒音排熱ファン４ｂが位置する領域に入り込んだ空気の一部は、通気口１１から高騒音排熱ファン４ａが位置する領域に入り込み、その領域内に配置された電子機器３ｂを冷却した後にその領域に対向して位置する排気口９から筐体２外に排気される。
【００３２】
高騒音排熱ファン４ａが位置する領域と低騒音排熱ファン４ｂが位置する領域とは仕切板１０により仕切られているため、高騒音排熱ファン４ａで発生した大きな騒音が低騒音排熱ファン４ｂが位置する領域に入り込み難くなり、正面側吸気口７から筐体２の正面側への漏れ出しがより一層抑制される。これにより、筐体２の正面側に居る患者や医師に対して与える騒音による不快感をより一層抑制することができる。
（第３の実施の形態）
本発明の第３の実施の形態を、図４に基づいて説明する。
【００３３】
第３の実施の形態は、第２の実施の形態で説明した仕切板１０の通気口１１に、送風ファン１２が設けられている。送風ファン１２は、正面側吸気口７から吸込まれて低騒音排熱ファン４ｂが位置する領域内に入り込んだ空気を、高騒音排熱ファン４ａが位置する領域に向けて空気を送風する。
【００３４】
なお、送風ファン１２は、発生する騒音が低騒音排熱ファン４ｂより小さいか同程度のものを使用している。このため、送風ファン１２を設けたことが原因となって筐体２の正面側に居る患者や医師に対して不快感を与えるということはない。
【００３５】
このような構成において、送風ファン１２を設けることにより、低騒音排熱ファン４ｂが位置する領域から高騒音排熱ファン４ａが位置する領域への送風を促進することができ、高騒音排熱ファン４ａが位置する領域内の電子機器３ｂの冷却性能を向上させることができる。
（第４の実施の形態）
本発明の第４の実施の形態を、図５に基づいて説明する。
【００３６】
第４の実施の形態は、第１の実施の形態で説明した筐体２の上面板２ｄと下面板２ｅと側面板２ｃとにおける正面板２ａ側に寄せた位置に吸気口１３が形成され、これらの吸気口１３にはダクト１４が接続されている。ダクト１４は、筐体２の背面側に向けて延出し
、その先端部に開口１４ａが形成されている。
【００３７】
このような構成において、吸気口１３を形成することにより筐体２外から筐体２内への空気の吸込み性能を高めることができ、電子機器３ａ〜３ｄの冷却性能を向上させることができる。
【００３８】
これらの吸気口１３は筐体２の正面側に向けて開口するものではないため、これらの吸気口１３を形成しても、筐体２の正面側に居る患者や医師に対して与える騒音による不快感を抑制することができる。さらに、これらの吸気口１３には、筐体２の背面側に向けて開口するダクト１４が接続されているため、筐体２の正面側に居る患者や医師に対して与える騒音による不快感をより一層抑制することができる。
【００３９】
なお、第４の実施の形態では上面板２ｄと下面板２ｅと側面板２ｃとのそれぞれに吸気口１３を形成した場合を例に挙げて説明したが、上面板２ｄと下面板２ｅと側面板２ｃとの少なくともいずれかに吸気口１３を形成してもよい。
【００４０】
また、側面板２ｃに形成する吸気口１３は、低騒音排熱ファン４ｂと水平方向で対向する領域にのみ形成し、高騒音排熱ファン４ａと水平方向で対向する領域には形成しないようにしてもよい。
（第５の実施の形態）
本発明の第５の実施の形態を、図６に基づいて説明する。
【００４１】
第５の実施の形態の電子機器用筐体装置である医用機器用筐体装置１Ａは、第１の実施の形態の医用機器用筐体装置１と同様に、筐体２内に電子機器３ａ〜３ｄと高騒音排熱ファン４ａと低騒音排熱ファン４ｂとが収容されている。
【００４２】
医用機器用筐体装置１Ａの筐体２では、正面板２ａに正面側吸気口７が形成されておらず、筐体２外の空気を筐体２内に吸込むための吸気口１３が、筐体２の上面板２ｄと下面板２ｅと側面板２ｃとにおける正面板２ａ側に寄せた位置に形成されている。さらに、これらの吸気口１３にはダクト１４が接続され、ダクト１４は筐体２の背面側に向けて延出し、その先端部に開口１４ａが形成されている。
【００４３】
なお、第５の実施の形態では上面板２ｄと下面板２ｅと側面板２ｃとのそれぞれに吸気口１３を形成した場合を例に挙げて説明したが、上面板２ｄと下面板２ｅと側面板２ｃとの少なくともいずれかに吸気口１３を形成してもよい。
【００４４】
また、側面板２ｃに形成する吸気口１３は、低騒音排熱ファン４ｂと水平方向で対向する領域にのみ形成し、高騒音排熱ファン４ａと水平方向で対向する領域には形成しないようにしてもよい。
【００４５】
このような構成において、医用機器用筐体装置１Ａの駆動時には、電子機器３ａ〜３ｄから発熱され、これらの電子機器３ａ〜３ｄが高騒音排熱ファン４ａ及び低騒音排熱ファン４ｂにより送風される空気によって冷却される。電子機器３ａ〜３ｄを冷却する空気は、上面板２ｄと下面板２ｅと側面板２ｃとに形成された吸気口１３から筐体２内に吸込まれ、電子機器３ａ〜３ｄの周囲を流れて電子機器３ａ〜３ｄを冷却した後に排気口９から筐体２外に排気される。
【００４６】
これらの吸気口１３は、筐体２の正面側以外の方向に向けて開口している。このため、高騒音排熱ファン４ａや低騒音排熱ファン４ｂから発生した騒音がこれらの吸気口１３から筐体２外に漏れ出した場合であっても、筐体２の正面側に居る患者や医師に対して与え
る騒音による不快感を抑制することができる。さらに、これらの吸気口１３には、筐体２の背面側に向けて開口するダクト１４が接続されているため、筐体２の正面側に居る患者や医師に対して与える騒音による不快感をより一層抑制することができる。
【符号の説明】
【００４７】
１    医用機器用筐体装置
２    筐体
２ａ  正面板
２ｃ  側面板
２ｄ  上面板
２ｅ  下面板
３ａ〜３ｄ  電子機器
４ａ  高騒音排熱ファン
４ｂ  低騒音排熱ファン
７    正面側吸気口
８    吸音材
１０  仕切板
１１  通気口
１２  送風ファン
１４  ダクト
【図１】
0005606236.tif 000002
【図２】
0005606236.tif 000003
【図３】
0005606236.tif 000004
【図４】
0005606236.tif 000005
【図５】
0005606236.tif 000006
【図６】
0005606236.tif 000007